【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】
光ディスク記録再生装置に使用可能で、光ディスクへの記録／再生それぞれに対応した異なるゲインに切換え可能な受光アンプ回路であって、
受光素子と、
前記受光素子からの出力を増幅する初段増幅器及び後段増幅器からなる２段の増幅器と、
前記初段増幅器のゲインを記録時と再生時とで異なるゲインに切換え可能な第１のゲイン切換え手段とを備えた受光アンプ回路において、
前記後段増幅器のゲインを再生時に異なるゲインに切換え可能な第２のゲイン切換え手段を設けたことを特徴とする受光アンプ回路。
【請求項２】
前記第２のゲイン切換え手段は、再生時に反射率の異なる光ディスクそれぞれに対応した異なるゲインを、再生する光ディスクに応じて切り換えることを特徴とする請求項１記載の受光アンプ回路。
【請求項３】
前記第２のゲイン切換え手段は、低反射光ディスクに対応したゲインと高反射光ディスクに対応したゲインとを、再生する光ディスクに応じて切り換えることを特徴とする請求項１記載の受光アンプ回路。
【請求項４】
前記初段増幅器は接地型増幅器で構成され、前記第１のゲイン切換え手段は受光素子が接続される２つの帰還ループを備え、前記記録時と再生時とでそれらの帰還ループを切換えることでゲイン切換えを行うことを特徴とする請求項１記載の受光アンプ回路。
【請求項５】
記録時に対応する帰還ループには、抵抗と１または複数個のダイオードとが直列接続されて構成されるクランプ回路が並列に接続されることを特徴とする請求項４記載の受光アンプ回路。
【請求項６】
記録時に対応する帰還ループにおいて、コレクタが＋電源に、ベースが基準電圧にそれぞれ接続されるクランプ用トランジスタのエミッタが初段増幅器の入力と受光素子との接続点に接続されて構成されるクランプ回路が設けられることを特徴とする請求項４記載の受光アンプ回路。
【請求項７】
前記後段増幅器は差動型増幅器で構成され、前記第２のゲイン切換え手段は帰還抵抗に並列接続される抵抗とトランジスタとで構成され、前記トランジスタをスイッチ動作させることでゲイン切換えを行うことを特徴とする請求項１〜６の何れかに記載の受光アンプ回路。
【請求項８】
前記記録時と２つの再生時との３つのモード切換えを行うスイッチの切換え回路を、２つのコンパレータ回路とロジック回路とで構成することを特徴とする請求項１〜７の何れかに記載の受光アンプ回路。
【請求項９】
前記切換え回路の入力電圧範囲が、記録時は約１ＶＢＥ以下、低反射ディスク再生時は約４・Ｖｃｃ／５以上、高反射ディスク再生時は約Ｖｃｃ／２±１ＶＢＥであることを特徴とする請求項８記載の受光アンプ回路。
【請求項１０】
前記２つのコンパレータ回路の入力部には、入力電圧を制限するためのクランプ回路がそれぞれ設けられていることを特徴とする請求項８または９記載の受光アンプ回路。
【請求項１１】
光ディスクへの記録と再生とにそれぞれ対応する記録ゲインと再生ゲインとのいずれかにより、受光素子からの出力信号を増幅可能に設けられた初段増幅器と、
前記初段増幅器により前記再生ゲインで増幅された前記出力信号を、前記光ディスクの反射率に対応する低反射ゲインと高反射ゲインとのいずれかにより増幅可能に設けられた後段増幅器とを備えたことを特徴とする受光アンプ回路。
【請求項１２】
光ディスクへの記録と再生とに応じた記録ゲインと再生ゲインとに選択的に切換え可能に構成され、受光素子からの出力信号を増幅する初段増幅器と、
高ゲインと低ゲインとに選択的に切換え可能に構成され、前記初段増幅器により前記再生ゲインで増幅された前記出力信号を増幅する後段増幅器とを備えたことを特徴とする受光アンプ回路。
【請求項１３】
光ディスクへの記録と再生とに応じた記録ゲインと再生ゲインとに選択的に切換え可能に構成され、受光素子からの出力信号を増幅する初段増幅器と、
異なる光ディスクの反射率に応じた高ゲインと低ゲインとに選択的に切換え可能に構成され、前記初段増幅器により前記再生ゲインで増幅された前記出力信号を増幅する後段増幅器とを備えたことを特徴とする受光アンプ回路。
【手続補正２】
【補正対象書類名】明細書
【補正対象項目名】０００２
【補正方法】変更
【補正の内容】
【０００２】
【従来の技術】
前記光ディスクとしては、従来からのＣＤ−ＲＯＭ，ＣＤ−Ｒ，ＤＶＤ−ＲＯＭなどの再生専用の光ディスクに加えて、近年では、パソコン機器として主に使用されるＣＤ−Ｒ／ＲＷ，ＤＶＤ−ＲＡＭなどの記録（書込み）可能な光ディスクが用いられるようになっており、それらのディスクの記録再生装置では、書込み時には再生時に比べて大きな光量がディスクに照射されるので、ディスクからの反射光が入力される受光アンプ回路においても大きな光入力となる。そこで、書込み時と再生時との光入力レベルの差に対応するため、受光アンプ回路では、書込み／再生それぞれに対応したゲインを切換える方式が採用されている。
【手続補正３】
【補正対象書類名】明細書
【補正対象項目名】００１５
【補正方法】変更
【補正の内容】
【００１５】
【課題を解決するための手段】
本発明の受光アンプ回路は、受光素子と、光ディスクへの記録と再生とにそれぞれ対応する記録ゲインと再生ゲインとのいずれかにより、前記受光素子からの出力信号を増幅可能に設けられた初段増幅器と、前記初段増幅器により前記再生ゲインで増幅された前記出力信号を、前記光ディスクの反射率に対応する低反射ゲインと高反射ゲインとのいずれかにより増幅可能に設けられた後段増幅器とを備えたことを特徴とする。
【手続補正４】
【補正対象書類名】明細書
【補正対象項目名】００１８
【補正方法】削除
【補正の内容】
【手続補正５】
【補正対象書類名】明細書
【補正対象項目名】００２１
【補正方法】変更
【補正の内容】
【００２１】
本発明の受光アンプ回路では、前記第２のゲイン切換え手段は、再生時に反射率の異なる光ディスクそれぞれに対応した異なるゲインを、再生する光ディスクに応じて切り換えることを特徴とする。
本発明の受光アンプ回路では、前記第２のゲイン切換え手段は、低反射光ディスクに対応したゲインと高反射光ディスクに対応したゲインとを、再生する光ディスクに応じて切り換えることを特徴とする。
さらにまた、本発明の受光アンプ回路では、前記初段増幅器は接地型増幅器で構成され、前記第１のゲイン切換え手段は受光素子が接続される２つの帰還ループを備え、前記記録時と再生時とでそれらの帰還ループを切換えることでゲイン切換えを行うことを特徴とする。
【手続補正６】
【補正対象書類名】明細書
【補正対象項目名】００２３
【補正方法】変更
【補正の内容】
【００２３】
また、本発明の受光アンプ回路は、記録時に対応する帰還ループには、抵抗と１または複数個のダイオードとが直列接続されて構成されるクランプ回路が並列に接続されることを特徴とする。
【手続補正７】
【補正対象書類名】明細書
【補正対象項目名】００２５
【補正方法】変更
【補正の内容】
【００２５】
さらにまた、本発明の受光アンプ回路は、記録時に対応する帰還ループにおいて、コレクタが＋電源に、ベースが基準電圧にそれぞれ接続されるクランプ用トランジスタのエミッタが初段増幅器の入力と受光素子との接続点に接続されて構成されるクランプ回路が設けられることを特徴とする。
【手続補正８】
【補正対象書類名】明細書
【補正対象項目名】００２７
【補正方法】変更
【補正の内容】
【００２７】
また、本発明の受光アンプ回路では、前記後段増幅器は差動型増幅器で構成され、前記第２のゲイン切換え手段は帰還抵抗に並列接続される抵抗とトランジスタとで構成され、前記トランジスタをスイッチ動作させることでゲイン切換えを行うことを特徴とする。
【手続補正９】
【補正対象書類名】明細書
【補正対象項目名】００２９
【補正方法】変更
【補正の内容】
【００２９】
さらにまた、本発明の受光アンプ回路は、前記記録時と２つの再生時との３つのモード切換えを行うスイッチの切換え回路を、２つのコンパレータ回路とロジック回路とで構成することを特徴とする。
【手続補正１０】
【補正対象書類名】明細書
【補正対象項目名】００３１
【補正方法】変更
【補正の内容】
【００３１】
また、本発明の受光アンプ回路は、前記切換え回路の入力電圧範囲が、記録時は約１ＶＢＥ以下、低反射ディスク再生時は約４・Ｖｃｃ／５以上、高反射ディスク再生時は約Ｖｃｃ／２±１ＶＢＥであることを特徴とする。
【手続補正１１】
【補正対象書類名】明細書
【補正対象項目名】００３３
【補正方法】変更
【補正の内容】
【００３３】
さらにまた、本発明の受光アンプ回路は、前記２つのコンパレータ回路の入力部には、入力電圧を制限するためのクランプ回路がそれぞれ設けられていることを特徴とする。
【手続補正１２】
【補正対象書類名】明細書
【補正対象項目名】００３４
【補正方法】変更
【補正の内容】
【００３４】
上記の構成によれば、コンパレータ回路の入力部に電圧制限用のクランプ回路を設けることで、入力電圧の変動による該コンパレータ回路の飽和を防止して誤動作を防止し、かつ応答性の劣化を抑制した３値（モード）のゲイン切換えを行うことができる。
本発明の他の受光アンプ回路は、光ディスクへの記録と再生とにそれぞれ対応する記録ゲインと再生ゲインとのいずれかにより、受光素子からの出力信号を増幅可能に設けられた初段増幅器と、前記初段増幅器により前記再生ゲインで増幅された前記出力信号を、前記光ディスクの反射率に対応する低反射ゲインと高反射ゲインとのいずれかにより増幅可能に設けられた後段増幅器とを備えたことを特徴とする。
本発明のさらに他の受光アンプ回路は、光ディスクへの記録と再生とに応じた記録ゲインと再生ゲインとに選択的に切換え可能に構成され、受光素子からの出力信号を増幅する初段増幅器と、高ゲインと低ゲインとに選択的に切換え可能に構成され、前記初段増幅器により前記再生ゲインで増幅された前記出力信号を増幅する後段増幅器とを備えたことを特徴とする。
本発明のさらに他の受光アンプ回路は、光ディスクへの記録と再生とに応じた記録ゲインと再生ゲインとに選択的に切換え可能に構成され、受光素子からの出力信号を増幅する初段増幅器と、異なる光ディスクの反射率に応じた高ゲインと低ゲインとに選択的に切換え可能に構成され、前記初段増幅器により前記再生ゲインで増幅された前記出力信号を増幅する後段増幅器とを備えたことを特徴とする。